(57)【要約】【課題】本発明は、燃料タンクの給油口に油種の異なる給油ノズルが挿入されることを課題とする。【解決手段】給油ノズル１０は、吐出パイプ２０と、ノズル本体３０と、ノズルレバー４０とを有する。ノズル本体３０は、ノズルレバー４０の操作によって開弁される弁機構（主弁）と、吐出パイプ２０の先端に設けられた液面検知孔５０からの空気導入が遮断されると主弁を閉弁させる自動閉弁機構とを有する。吐出パイプ２０の先端２２の外周には、筒状部材７０が設けられている。筒状部材７０の下流側端部７６は、外径Ｄがガソリン用燃料タンクの給油口９０に設けられた誤挿入防止部９２の最小内径Ｄ２よりも大径である。そのため、軽油用の給油ノズル１０を用いてガソリン用燃料タンクに給油する場合、筒状部材７０の端部が給油口９０の内壁に形成された誤挿入防止部９２に当接して挿入することが阻止される。【選択図】図１
2011136732.tif 000002
【特許請求の範囲】
【請求項１】
液面検知孔を有する吐出パイプと、ノズルレバーの操作により開弁される弁機構とを有する給油ノズルにおいて、
前記吐出パイプの先端外周に、前記吐出パイプよりも大径な筒状部材を設けて多重管構造としたことを特徴とする給油ノズル。
【請求項２】
前記筒状部材は、前記吐出パイプの先端に着脱可能に設けられたことを特徴とする請求項１に記載の給油ノズル。
【請求項３】
前記筒状部材は、前記吐出パイプの先端外周に形成されたねじ部に螺合されて着脱可能に設けられ、
前記吐出パイプの外周と前記筒状部材との間に当該筒状部材と当該吐出パイプとの螺合状態を保持するための緩み防止部材を設けたことを特徴とする請求項１または２に記載の給油ノズル。
【請求項４】
前記筒状部材は、先端が前記液面検知孔よりも上方に位置する長さに形成されたことを特徴とする請求項１乃至３の何れかに記載の給油ノズル。
【請求項５】
前記筒状部材は、一端が前記液面検知孔よりも上方に位置する長さに形成され、且つ他端が前記吐出パイプの外周に固定されたことを特徴とする請求項１に記載の給油ノズル。
【発明の詳細な説明】
【技術分野】
【０００１】
本発明は給油ノズルに係り、特に車両の給油口に吐出パイプを挿入する際の油種間違いを防止するよう構成された給油ノズルに関する。
【背景技術】
【０００２】
セルフサービス方式の給油装置において、例えば、ハイオク用ノズル、レギュラー用ノズル、軽油用ノズルからなる油種の異なる複数の給油ノズルが設けられている。そして、車両の燃料タンクに給油する際は、顧客（運転者）が当該車両に搭載されているエンジンの種別に応じて当該燃料タンクに給油される油種を確認して何れかの給油ノズルを選択する。ところが、顧客が給油ノズルを選択する際に油種を間違えると、指定された油種と異なる油種の給油ノズルを給油口に挿入してしまうことがある。
【０００３】
例えば、セルフサービス方式の給油装置では、ガソリン用のエンジンが搭載された軽自動車を運転している顧客が「軽油」と記載されている給油ノズルを軽自動車用の燃料の給油ノズルと勘違いすることがある。
【０００４】
このような勘違いによる異油種給油事故を防止するため、例えば、軽油用の給油ノズルの吐出パイプを大径とし、軽油用の燃料タンクの給油口に挿入して給油が可能となるが、ガソリン用の燃料タンクの給油口に対しては給油ノズルの吐出パイプが給油口の内壁に当接して奥まで挿入できないので、給油ノズルの油種が間違っていることが分かるように構成した給油ノズルがある（例えば、特許文献１参照）。
【０００５】
また、給油ノズルの吐出パイプの先端には、給油口内の液面を検知する液面検知孔が設けられている。この液面検知孔は、給油ノズルの本体内部に設けられた負圧発生部において、油液の流速によって生じる負圧により自動閉弁機構のダイヤフラム室へ空気を供給するための空気導入孔である。そして、自動閉弁機構では、液面検知孔が液面によって閉塞されると、ダイヤフラム室への空気導入が閉止されるので、ダイヤフラムが負圧側に動作して主弁の係止が解除されて主弁が閉弁動作するように構成されている（例えば、特許文献２参照）。
【先行技術文献】
【特許文献】
【０００６】
【特許文献１】特開昭５０−１０２９１２号公報
【特許文献２】特開平１０−２１８２９９号公報
【発明の概要】
【発明が解決しようとする課題】
【０００７】
しかしながら、上記従来の給油ノズルでは、油種の異なる給油口への吐出パイプの挿入を阻止するため、吐出パイプの内径及び外径が大きくなっているので、吐出パイプから吐出される燃料の流速が低くなる。そのため、従来の給油ノズルにおいては、吐出パイプから吐出される油液の流速が低下することで、負圧発生部での負圧が弱くなり、吐出パイプ先端の液面検知孔が液面によって閉塞されたとき、負圧発生部による負圧が弱い分、自動閉弁機構が主弁の係止を解除できず正常に閉弁動作しないおそれがある。
【０００８】
そこで、本発明は上記事情に鑑み、上記課題を解決した給油ノズルを提供することを目的とする。
【課題を解決するための手段】
【０００９】
上記課題を解決するため、本発明は以下のような手段を有する。
（１）本発明は、液面検知孔を有する吐出パイプと、ノズルレバーの操作により開弁される弁機構とを有する給油ノズルにおいて、
前記吐出パイプの先端外周に、前記吐出パイプよりも大径な筒状部材を設けて多重管構造としたことを特徴とする。
（２）本発明の前記筒状部材は、前記吐出パイプの先端に着脱可能に設けられたことを特徴とする。
（３）本発明の前記筒状部材は、前記吐出パイプの先端外周に形成されたねじ部に螺合されて着脱可能に設けられ、
前記吐出パイプの外周と前記筒状部材との間に当該筒状部材と当該吐出パイプとの螺合状態を保持するための緩み防止部材を設けたことを特徴とする。
（４）本発明の前記筒状部材は、先端が前記液面検知孔よりも上方に位置する長さに形成されたことを特徴とする。
（５）本発明の前記筒状部材は、一端が前記液面検知孔よりも上方に位置する長さに形成され、且つ他端が前記吐出パイプの外周に固定されたことを特徴とする。
【発明の効果】
【００１０】
本発明によれば、吐出パイプの先端外周に、吐出パイプよりも大径な筒状部材を設けて多重管構造としたため、油種の異なる燃料タンクの給油口に挿入しようとしても筒状部材が給油口の入口（或いは給油口の内壁）に当接して吐出パイプを給油口（或いは給油口の奥）に挿入することが阻止されて当該燃料タンクに給油すべき油種と異なる油種が給油されることを防止できると共に、吐出パイプの内径が拡張されていないため、吐出パイプを流れる流速が減速されずに済み、液面検知による自動閉弁動作を安定的に行なうことも可能になる。
【図面の簡単な説明】
【００１１】
【図１】本発明による給油ノズルの一実施例を示す正面図である。
【図２】吐出パイプの先端部分が軽油用燃料タンクの給油口に挿入された状態を拡大して示す縦断面図である。
【図３】吐出パイプの先端部分がガソリン用燃料タンクの給油口に挿入された状態を拡大して示す縦断面図である。
【図４】給油ノズルの変形例を示す正面図である。
【図５】変形例の吐出パイプの先端部分がガソリン用燃料タンクの給油口に挿入された状態を拡大して示す縦断面図である。
【発明を実施するための形態】
【００１２】
以下、図面を参照して本発明を実施するための形態について説明する。
【実施例１】
【００１３】
図１は本発明による給油ノズルの一実施例を示す正面図である。図２は吐出パイプの先端部分が軽油用燃料タンクの給油口に挿入された状態を拡大して示す縦断面図である。
【００１４】
図１及び図２に示されるように、給油ノズル１０は、吐出パイプ２０と、ノズル本体３０と、ノズルレバー４０とを有する。ノズル本体３０は、ノズルレバー４０の操作によって開弁される弁機構（主弁）と、吐出パイプ２０の先端に設けられた液面検知孔５０からの空気導入が遮断されると主弁を閉弁動作させる自動閉弁機構とを有する。
【００１５】
ノズル本体３０の弁機構は、ホースを介して給油装置の軽油供給経路に接続されており、ノズルレバー４０を開弁方向に操作すると、弁体が開弁動作して吐出パイプ２０から軽油を吐出させる。尚、ノズル本体３０の内部構成は、前述した特許文献２に記載されている通り、周知であるので、ここでは説明を省略する。
【００１６】
吐出パイプ２０は、金属パイプを所定の曲率半径で湾曲されており、先端外周には液面検知孔５０が設けられている。液面検知孔５０は、吐出パイプ２０の内部に挿通された細管５２を介してノズル本体３０に設けられた自動閉弁機構のダイヤフラム室に連通されている。
【００１７】
また、吐出パイプ２０の先端２２の外周には、筒状部材７０が設けられている。筒状部材７０は、金属材料を筒状に加工したものであり、吐出パイプ２０の外周に嵌合されて２重管構造となるように取り付けられている。
【００１８】
筒状部材７０の上流側端部７２には、吐出パイプ２０の外周に形成されたおねじ（ねじ部）２２に螺合するめねじ７４が形成され、下流側端部７６は液面検知孔５０より上方となる位置まで延在形成されている。
【００１９】
さらに、筒状部材７０は、上端側端部７２の内側に形成されためねじ７４を吐出パイプ２０のおねじ２３に螺合されて締結されると共に、上端側端部７２の内周が吐出パイプ２０の外周凹部２４に嵌合され、筒状部材７０と吐出パイプ２０との螺合状態を保持するための緩み防止部材２６に密着されて緩みが防止される。緩み防止部材２６は、リング状に形成されたゴム部材よりなり、圧縮されることで筒状部材７０に対して回動動作を阻止する摩擦を付与するものである。そのため、筒状部材７０が緩んで吐出パイプ２０より離脱することが防止される。
【００２０】
図２に示されるように、下流側端部７６の外径Ｄは、軽油用燃料タンクの給油口８０の内径Ｄ１よりも小径である（Ｄ＜Ｄ１）。そのため、軽油用の給油ノズル１０を用いて軽油用燃料タンクに給油する場合、筒状部材７０を給油口８０に挿入することが可能になり、軽油を軽油用燃料タンクに給油することができる。
【００２１】
筒状部材７０は、吐出パイプ２０の外周に嵌合して２重管構造を構成する。そのため、吐出パイプ２０は内径が大きくなっておらず、油液を吐出させる際の流速が減速されないように設けられている。従って、給油ノズル１０においては、吐出パイプ２０から吐出される油液の吐出量（流速）が維持されるので、ノズル本体３０に設けられた負圧発生部による負圧が正常に発生され、且つ自動閉弁機構も液面検知により確実に作動することができる。
【００２２】
また、吐出パイプ２０の外周に嵌合された筒状部材７０は、給油口８０の内壁に接触することにより吐出パイプ２０及び液面検知孔５０が損傷しないように保護する保護部材としても機能する。
【００２３】
図３は吐出パイプの先端部分がガソリン用燃料タンクの給油口に挿入された状態を拡大して示す縦断面図である。図３に示されるように、ガソリン用燃料タンクの給油口９０には、軽油用給油ノズル１０が誤って挿入されることを防止するため、誤挿入防止部９２が設けられている。この誤挿入防止部９２は、給油口９０よりも小径に形成された挿入孔を有する壁部が内側に突出しており、挿入孔の最小内径が吐出パイプ２０の先端の外径よりも若干大径に形成されている。従って、給油ノズル１０は、筒状部材７０がなければ、ガソリン用給油ノズルと同様に、吐出パイプ２０の先端を給油口９０の誤挿入防止部９２に挿入することが可能になる。
【００２４】
筒状部材７０の下流側端部７６は、外径Ｄがガソリン用燃料タンクの給油口９０に設けられた誤挿入防止部９２の最小内径Ｄ２よりも大径である（Ｄ＞Ｄ２）。そのため、軽油用の給油ノズル１０を用いてガソリン用燃料タンクに給油する場合、筒状部材７０の端部が給油口９０の内壁に形成された誤挿入防止部９２に当接して挿入することが阻止される。よって、セルフ給油を行なう顧客（運転者）が車両に搭載されたエンジンに対応する油種を間違って選択した場合でも、例えば、軽油用の給油ノズル１０をガソリン用燃料タンクの給油口９０に挿入することができず、ガソリン用燃料タンクに軽油を給油することが確実に防止される。
【００２５】
また、筒状部材７０は、吐出ノズル２０のおねじ２２に螺着されているため、ねじが緩んで下方にずれる場合がある。そして、筒状部材７０が所定距離下方にずれると、下流側端部７６が液面検知孔５０を閉塞するため、液面検知孔５０からの空気導入が遮断され、負圧発生部による負圧発生が抑制されて自動閉弁機構により弁機構の主弁が閉弁状態に保持される。このように、筒状部材７０の位置が下方にずれた場合は、筒状部材７０の当接による誤挿入防止が機能しなくても当該給油ノズル１０による給油が阻止されるため、燃料タンクに異なる油種が給油されることを防止できる。
【００２６】
本実施例では、上記誤挿入防止部９２が給油口９０の内壁に設けられているが、誤挿入防止部９２を設ける深さ位置を任意の位置に設定しても良い。例えば、給油口９０の入口に誤挿入防止部９２を設ける構成とした場合は、吐出ノズル２０を挿入しようとしても筒状部材７０の端部が給油口９０の入口に設けられた誤挿入防止部９２に当接して給油口９０への挿入を阻止することが可能になる。
【００２７】
次に、変形例について説明する。
【００２８】
図４は給油ノズルの変形例を示す正面図である。図５は変形例の吐出パイプの先端部分がガソリン用燃料タンクの給油口に挿入された状態を拡大して示す縦断面図である。尚、図４及び図５において、上記実施例と同一部分には、同一符合を付して説明を省略する。
【００２９】
図４及び図５に示されるように、変形例の給油ノズル１００は、吐出パイプ２０の先端２２の外周に、筒状部材１１０が設けられている。筒状部材１１０は、金属パイプからなり、吐出パイプ２０の外周に嵌合されて２重管構造となるように取り付けられている。
【００３０】
また、筒状部材１１０は、上流側端部１１２がかしめ加工により吐出パイプ２０の外周に固定される。かしめ加工としては、筒状部材１１０の外周の複数箇所を内側にプレスして凹部１１４を加工することで筒状部材１１０を吐出パイプ２０の外周に機械的に締結する。
【００３１】
尚、筒状部材１１０の固定方法としては、かしめ加工に限らず、例えば、溶接やろう付け等の締結方法を用いても良いし、あるいはかしめ加工と溶接とを併用しても良い。
【００３２】
筒状部材１１０の下流側端部１１６は、液面検知孔５０より上方となる位置まで延在形成されている。よって、吐出パイプ２０の外周に嵌合された筒状部材１１０は、給油口９０の内壁に接触することにより吐出パイプ２０及び液面検知孔５０が損傷しないように保護する保護部材としても機能する。
【００３３】
筒状部材１１０の下流側端部１１６は、外径Ｄがガソリン用燃料タンクの給油口９０に設けられた誤挿入防止部９２の最小内径Ｄ２よりも大径である（Ｄ＞Ｄ２）。そのため、軽油用の給油ノズル１００を用いてガソリン用燃料タンクに給油する場合、筒状部材１１０の端部が給油口９０の内壁に形成された誤挿入防止部９２に当接して挿入することが阻止される。よって、セルフ給油を行なう顧客（運転者）が車両に搭載されたエンジンに対応する油種を間違って選択した場合でも、例えば、軽油用の給油ノズル１００をガソリン用燃料タンクの給油口９０に挿入することができず、ガソリン用燃料タンクに軽油を給油することが確実に防止される。
【００３４】
また、筒状部材１１０は、吐出パイプ２０の外周に嵌合して２重管構造を構成するため、吐出パイプ２０の内径が大きくなっておらず、油液を吐出させる際の流速が減速されないように取り付けられている。そのため、給油ノズル１００においては、吐出パイプ２０から吐出される油液の吐出量（流速）が維持されるので、ノズル本体３０に設けられた負圧発生部による負圧が正常に発生され、且つ自動閉弁機構も液面検知により確実に作動することができる。
【産業上の利用可能性】
【００３５】
上記実施例では、軽油用の給油ノズルの吐出パイプの先端に筒状部材を設けた二重管構造とした場合を例に挙げて説明したが、これに限らず、例えば、内径、外径の異なる筒状部材を三重あるいは四重に嵌合させる多重管構造としても良い。
【００３６】
また、上記実施例では、軽油用の給油ノズルの吐出パイプの先端に筒状部材を設けた二重管構造とした場合を例に挙げて説明したが、これに限らず、車両側の給油口形状に応じてガソリン用の給油ノズルに筒状部材を設ける構成としても良い。
【符号の説明】
【００３７】
１０、１００  給油ノズル
２０  吐出パイプ
２６  緩み防止部材
３０  ノズル本体
４０  ノズルレバー
５０  液面検知孔
７０、１１０  筒状部材
７２  上流側端部
７６  下流側端部
８０、９０  給油口
９２  誤挿入防止部
１１２  上流側端部
１１４  凹部
１１６  下流側端部
【図１】
2011136732.tif 000003
【図２】
2011136732.tif 000004
【図３】
2011136732.tif 000005
【図４】
2011136732.tif 000006
【図５】
2011136732.tif 000007